(57)【特許請求の範囲】
【請求項１】
少なくとも上面と背面とを備えたケース本体と、前記上面に配設される複数の鍵からなる鍵盤と、前記背面に配設される外部機器への接続端子と、前記ケース本体に着脱自在に設けた照明装置とを備えた電子鍵盤楽器において、
前記背面に前記照明装置の照明用端子を少なくとも１つ設けるとともに、
前記照明装置は、前記照明用端子に着脱可能な装着部を一端側に備え、他端側に照明体を取り付けた支持体を有してなり、
前記支持体は、可撓菅を備えており、前記照明用端子に前記照明装置を装着した状態で、前記鍵盤及び前記接続端子の一方を選択的に、或いは双方を、照明することができるように、前記照明体の位置及び向きを前記可撓菅の撓みにより調節可能に前記ケース本体に支持するようにしたことを特徴とする電子鍵盤楽器。
【発明の詳細な説明】
【０００１】
【発明の属する技術分野】
本発明は、電子ピアノ、エレクトーン等の電子鍵盤楽器に使用される照明装置付きの電子鍵盤楽器に関する。
【０００２】
【従来の技術】
一般に、電子鍵盤楽器は、上面に鍵盤を備えるとともに、背面にスピーカ端子やＭＩＤＩ端子等のような外部機器との接続端子を多数備えている。
【０００３】
このような電子鍵盤楽器を演奏会場の舞台等で使用する場合、種々の外部機器との接続のため、接続コードの差込みプラグを電子鍵盤楽器の所定の端子にそれぞれ差し込む必要がある。この接続作業は、それぞれの端子近傍に記載されている端子名やプラグの向き等を確認しながら行われる。
【０００４】
しかしながら、電子鍵盤楽器が設置される舞台等は、演奏会の時間帯以外での照明設備の使用を控えたり、照明設備自体が設置途中であったりするため、照明の明るさが十分でないことが多く、接続作業が困難で時間がかかるという問題があった。
【０００５】
更に、演奏中は舞台の一部のみが明るくされ、電子鍵盤楽器の設置箇所の照明が落とされて暗くなることもある。このような場合、従来は電気スタンド等によって鍵盤を照明していたが、多くの機材を準備する中で別途電気スタンドを設置したり、その配線の取り回しを考慮したりするのが面倒であるという問題があった。
【０００６】
【発明が解決しようとする課題】
本発明は、これらの従来技術の前記問題を解決し、鍵盤及び接続端子のそれぞれを容易に照明することができる照明装置付き電子鍵盤楽器を提供することを目的とする。
【０００７】
【課題を解決するための手段】
本発明の前記目的は、少なくとも上面と背面とを備えたケース本体と、前記上面に配設される複数の鍵からなる鍵盤と、前記背面に配設される外部機器への接続端子と、前記ケース本体に着脱自在に設けた照明装置とを備えた電子鍵盤楽器において、前記背面に前記照明装置の照明用端子を少なくとも１つ設けるとともに、前記照明装置は、前記照明用端子に着脱可能な装着部を一端側に備え、他端側に照明体を取り付けた支持体を有してなり、前記支持体は、可撓管を備えており、前記照明用端子に前記照明装置を装着した状態で、前記鍵盤及び前記接続端子の一方を選択的に、或いは双方を、照明することができるように、前記照明体の位置及び向きを前記可撓管の撓みにより調節可能に前記ケース本体に支持するようにしたことを特徴とする電子鍵盤楽器により達成される。
【０００８】
また、電子鍵盤楽器の上面に、前記鍵盤の他に演奏機能の操作子が設けられている場合には、更にこの操作子についても前記照明装置によって照明できるように構成することが望ましい。
【０００９】
また、前記照明用端子は、前記照明装置に電気的に接続され、前記照明装置と機械的に強固に結合されるもの（例えばキャノン端子）であることが望ましい。
【００１０】
また、前記照明装置のスイッチは、いずれかの前記照明用端子の下方近傍に設けることが望ましい。
【００１１】
また、前記照明用端子は、前記背面の上部に設けることが望ましい。これにより、前記背面の下寄りに設けた場合に比し、前記支持体を位置調整する際に前記装着部に作用するモーメントを小さくし、該装着部に掛かる負担を軽減してその破損や脱落を防止することができる。
【００１２】
また、前記支持体を、前記装着部から前記ケース本体背面を越える長さに亘って延びる直管、及びこの直管と前記照明体との間に延びる可撓管を備えたものとし、前記直管と前記ケース本体背面との間に隙間を形成するのが望ましい。これにより、前記可撓管を操作する際に該可撓管がケース本体背面に当接するのが防止され、円滑な操作が保証される。
【００１３】
【発明の実施の形態】
以下、添付図面を参照しつつ本発明の実施形態について説明する。図１は、本発明の一実施形態に係る照明装置を備えた電子鍵盤楽器を示す斜視図である。
【００１４】
同図に示すように、電子鍵盤楽器は、箱形のケース本体１を備えており、該ケース本体１は、上面１ａの正面側（演奏者側）に鍵盤２を備えるとともに、上面１ａの背面側に多数の演奏機能操作子３を備えている。また、ケース本体１の背面１ｂには、スピーカ端子、ＭＩＤＩ端子、電源入力端子等のような外部機器への接続端子群４を備えており、更に、２つの照明装置１０をそれぞれ着脱可能なコンセント（照明用端子）５０を、左右両側の上部に２つ備えている。更に、一方のコンセント５０の下方近傍には、両方の照明装置１０を同時にオンオフするスイッチ６を備えている。尚、ケース本体１は、鍵盤２が略水平となるように４本の脚９０によって支持されており、この状態で背面１ｂは、舞台などの床面に対して略垂直となる。
【００１５】
照明装置１０は、コンセント５０に嵌合するプラグ（装着部）６０を一端側に備えた支持体２０と、支持体２０の他端側に取り付けられた照明体３０とからなり、プラグ６０をコンセント５０に差し込むことにより、ケース体内部の照明用電源（図示せず）と照明体３０とを電気的に接続できるようになっている。
【００１６】
支持体２０は、図２に示すように、プラグ６０から所定の長さ部分が直管２１からなるとともに、この直管２１と照明体３０との間が可撓管２２によって構成されている。この可撓管２２は、人の手の力で撓ませることができ、照明体３０を所望の位置及び向きに移動させて移動後の状態を維持できるようになっている。この可撓管２２は、照明体３０をケース本体１の上方前寄りに移動させて鍵盤２及び演奏機能操作子３を照明でき、且つ、照明体３０をケース本体１の背面側に移動させて接続端子群４を照明できるような長さとされている。このような可撓管２２は、金属製のフレキシブルチューブの他、合成樹脂、ゴム、及びこれらの複合材等によって形成することができる。尚、本実施形態においては、照明体３０の照度を、鍵盤２及び演奏機能操作子３の双方を照明可能な大きさとしているが、照明体３０が演奏者にとって明るすぎる場合には、照明体３０の照度を小さくして、照明体３０の位置、向きを調節することにより鍵盤２又は演奏機能操作子３を選択的に照明できるようにしても良い。
【００１７】
直管２１は、可撓管２２との接合部２３が背面１ｂの上端部よりも上方に位置するような長さとし、且つ、直管２１と背面１ｂとの間には隙間が形成されるようにしているので、照明体３０を移動させたときに支持体２０が背面１ｂと接触するおそれがなく、照明体３０を所望の位置まで容易且つ確実に移動させることができる。
【００１８】
照明体３０は、図３に示すように、電球３１とこの電球３１を覆う円筒状のカバー３２とからなる。カバー３２は、側壁の一部が切り欠かれて透光窓３３が形成されており、内面が反射面３４とされている。このカバー３２は、支持体２０に対して軸線周りに回転可能となっており、透光窓３３を経る電球３１の照明方向を調節自在としている。
【００１９】
プラグ６０は、図４に示すように、基部６１にネジ６２で固定された差込環６３と、この差込環６３の内部に設けられた４つの差込極６４とを備えている。この４つの差込極６４は、１本の長い差込極６４ａと、３本の短い差込極６４ｂとからなり、長い差込極６４ａ、及び短い差込極６４ｂの１つが、照明体３０に電気的に接続されている。また、差込環６３における側面の一部には、以下に説明するコンセント５０への係合用の透孔６５が形成されている。
【００２０】
図５及び図６は、コンセント５０をケース本体１から取り外した状態を示している。コンセント５０は、図示のように直方体状であり、その１つの面に差込環６３と嵌合する環状溝５２が形成されている。そして、環状溝５２の内側の支持部５１には、それぞれ端子金具５３を有する４つの受入孔５４が形成されている。コンセント５０は、プラグ６０が差し込まれたときに、差込環６３を環状溝５２に受け入れるとともに、差込極６４を対応する受入孔５４に受け入れて端子金具５３と接触させ、照明装置１０を支持する。また、環状溝５２の外周部は一部切り欠かれて軸線方向に摺動自在に押下片５５が装着されており、この押下片５５は、上端にロック外しレバー５５ａが設けられ、下端に径方向内方へ突出するロックピン（図示せず）が設けられている。このロックピンは、プラグ６０が差し込まれたときに、透孔６５に係合して、プラグ６０を堅固に固定する。
【００２１】
押下片５５は、ロック外しレバー５５ａを図５の矢示Ａ方向に押し下げたときに、同図の下方に摺動し、先端部が環状溝５２の外周部の傾斜面（図示せず）に乗り上げて径方向外側へ変位して、ロックピン（図示せず）がプラグ６０の透孔６５から離脱するようになっている。そして、プラグ６０を外した後に押下力を除去すると、戻し用のばね部材（図示せず）によって上方に移動し、前記ロックピンが元の位置へ戻るように構成されている。尚、コンセント５０は、取付板５８を介してネジ５９により電子鍵盤楽器のカバー体に固定される。
【００２２】
図７は、コンセント５０にプラグ６０を固定した状態における図６の矢示Ｂ−Ｂ方向の要部断面図を示す。同図に示すように、ケース本体背面１ｂに固定されたコンセント５０において、支持部５１の基端部には凹部５１ａが形成されている。また、この凹部５１ａの内周面には、梁状の可撓片５６及びストッパ５７が設けられている。可撓片５６は、一端側が凹部５１ａの側壁に固設され、通常は他端側がストッパ５７に接触している。そして、コンセント５０にプラグ６０が装着されると、同図に示すように可撓片５６の先端部が長い差込極６４ａにより押圧されて、ストッパ５７との接触が解除されるようになっている。
【００２３】
このコンセント５０は、照明用の端子とマイク用の端子とが兼用されており、照明装置１０のプラグ６０を差し込んだときには、照明用の交流電源に接続される一方、マイクプラグ（図示せず）を差し込んだときには、マイク用の電源に接続されるように、図８に示す電気回路が構成されている。
【００２４】
即ち、同図に示すように、ＡＮＤ回路７２の一対の入力端子の内、一方には電圧Ｖ１がストッパ５７、可撓片５６及びインバータ７１を介して入力され、他方には電圧Ｖ１が直接に入力される。そして、ＡＮＤ回路７２の出力はリレー７３に入力される。また、４つの端子金具５３のうちの２つがスイッチ８１，８２を介して照明用電源及びマイク用電源に接続されており、この２つの端子金具５３は、照明体３０に接続された２つの差込極６４ａ，６４ｂ又はマイクに接続された２つの差込極（図示せず）を受け入れる。
【００２５】
スイッチ８１，８２は、リレー７３の制御によって、リレー７３の出力が「Ｈ」のときに端子金具５３と照明用電源とを導通する一方、リレー７３の出力が「Ｌ」のときに端子金具５３とマイク用電源とを導通する。尚、マイク用電源の端子間には、サージ用のコンデンサ８３が設けられている。
【００２６】
この電気回路構成によれば、照明装置１０のプラグ６０がコンセント５０に差し込まれると、長い差込極６４ａによって、同図に２点鎖線で示すように可撓片５６がストッパ５７と非接触となるので、ＡＮＤ回路７２の出力は「Ｈ」となり、コンセント５０は照明用の電源に接続される。一方、マイク用のプラグ（図示せず）は受入孔５４に挿入される全ての差込極を短いものとしており、コンセント５０に装着しても可撓片５６とストッパ５７との接触は解除されない。したがって、ＡＮＤ回路７２の出力は「Ｌ」となり、コンセント５０はマイク用の電源に接続される。
【００２７】
このように、コンセント５０を、照明装置１０及びマイク（図示せず）の双方に兼用することができるので、従来から電子鍵盤楽器のケース本体１にマイク端子が設けられている場合には、スペース上の制約を受けることなく、この位置にコンセント５０を設けることができる。
【００２８】
以上の電子鍵盤楽器によれば、照明装置１０を照明用コンセント５０に接続した状態で、照明体３０を電子鍵盤楽器のケース本体１の上方又は後方に移動させることにより、鍵盤２又は外部接続端子群４の照明を容易に行うことができる。
【００２９】
また、照明装置１０はケース本体１に対して着脱自在となっているので、照明が不要な時や運搬時には取り外すことができ、電子鍵盤楽器をコンパクトな状態にすることができる。
【００３０】
尚、コンセント５０は、本実施形態のように、ケース本体１の背面上部に設けることが好ましい。コンセント５０を背面下部に設けると、支持体２０の長さを長くする必要があるため、プラグ６０の装着部に作用する曲げモーメントが大きくなり、プラグ６０がコンセント５０から外れるおそれがあるからである。
【００３１】
また、照明用コンセント５０及びこれに接続される照明装置１０の数は、本実施形態のように必ずしも２個である必要はなく、１個或いは３個以上としても良い。
【００３２】
【発明の効果】
以上のように、本発明によれば、電子鍵盤楽器のケース本体に装着した照明装置によって、鍵盤又は接続端子を選択的に照明することができるので、別途照明器具を準備したり、その配線の取り回しを考慮したりする煩雑さが解消され、これらを容易且つ効果的に照明することができる。
【００３３】
また、照明装置を装着する照明用端子が、ケース本体の背面側に設けられているので、照明装置が演奏者の邪魔になるおそれがなく、また、上面側に設けられた場合のような埃の堆積の問題が生じない。
【００３４】
更に、照明装置は着脱自在であるので、演奏する際に煩わしい場合には照明装置を取り外すことができ、特に、電子鍵盤楽器の運搬時には、照明装置と電子鍵盤楽器とを別々にして、コンパクトな状態で搬送することができる。
【図面の簡単な説明】
【図１】本発明の一実施形態に係る照明装置付き電子鍵盤楽器を示す斜視図である。
【図２】図１における照明装置を主として示す電子鍵盤楽器の側面図である。
【図３】本実施形態に係る照明装置の側面図である。
【図４】本実施形態に係るプラグの底面図である。
【図５】本実施形態に係るコンセントの側面図である。
【図６】図５におけるコンセントの矢示Ａ方向の正面図である。
【図７】コンセントにプラグを固定した状態における図６の矢示Ｂ−Ｂ方向の要部断面図である。
【図８】図７におけるコンセントのＣ部拡大断面図及びこのコンセントに接続された電気回路図である。
【符号の説明】
１  電子鍵盤楽器のケース本体
１ａ  上面
１ｂ  背面
２  鍵盤
４  接続端子群
１０  照明装置
２０  支持体
３０  照明体
５０  コンセント
６０  プラグ
【図１】
0003541876.tif 000002
【図２】
0003541876.tif 000003
【図３】
0003541876.tif 000004
【図４】
0003541876.tif 000005
【図５】
0003541876.tif 000006
【図６】
0003541876.tif 000007
【図７】
0003541876.tif 000008
【図８】
0003541876.tif 000009